(57)【要約】【課題】簡易且つ安価な構成により過度のブラッシング圧となるのを回避して、適切なブラッシング圧で歯面や歯茎をブラッシングすることのできる歯ブラシを提供する。【解決手段】複数の毛束１８が植設される複数の植毛孔１６が形成されている植毛台１４と、把持部１１と、把持部１１と植毛台１４とを連結するネック部１２とを含む、全長が１５０ｍｍ以上の長さの歯ブラシ本体１５を備える歯ブラシ１０であって、把持部１１は、断面積が５０ｍｍ2となっている位置を把持部先端部１１ａとして、この把持部先端部１１ａの後方領域に、断面積が５０ｍｍ2以上となっている部分を有しており、ネック部１２は、全長に亘って断面積が５０ｍｍ2に満たない部分となっており、且つ歯ブラシ本体１５の後端から把持部先端部１１ａまでの長さＬ1が、歯ブラシ本体１５の後端から植毛台１４の中心位置までの長さＬ2の、２０％以上５０％以下の長さとなっている。【選択図】図２
2018198795.tif 000002
【特許請求の範囲】
【請求項１】
毛束が植設される複数の植毛孔が形成されている植毛台と、把持部と、該把持部と前記植毛台とを連結するネック部とを含む、全長が１５０ｍｍ以上の長さの歯ブラシ本体を備える歯ブラシであって、
前記把持部は、断面積が５０ｍｍ2となっている位置を把持部先端部として、該把持部先端部の後方領域に、断面積が５０ｍｍ2以上となっている部分を有しており、
前記ネック部は、全長に亘って断面積が５０ｍｍ2に満たない部分となっており、
且つ前記歯ブラシ本体の後端から前記把持部先端部までの長さが、前記歯ブラシ本体の後端から前記植毛台の中心位置までの長さの、２０％以上５０％以下の長さとなっている歯ブラシ。
【請求項２】
前記ネック部は、前記把持部先端部から、前記植毛台との接続部分に向けて、断面積が連続して減少する形状を備えている請求項１記載の歯ブラシ。
【請求項３】
前記把持部における前記把持部先端部側の部分の表側表面に、親指の指腹部が押し当てられるように誘導する、指当てマーキング部が設けられている請求項１又は２記載の歯ブラシ。
【請求項４】
前記把持部における前記把持部先端部側の部分の裏側表面に、親指の指腹部が押し当てられるように誘導する、指当てマーキング部が設けられている請求項１〜３のいずれか１項記載の歯ブラシ。
【請求項５】
前記指当てマーキング部は、親指の指腹部に沿った表面形状となるように凹状に湾曲した形状の湾曲凹部となっている請求項３又は４記載の歯ブラシ。
【請求項６】
前記歯ブラシ本体の後端から前記把持部先端部までの把持部の長さが、８０ｍｍ以下の長さとなっている請求項１〜５のいずれか１項記載の歯ブラシ。
【請求項７】
前記把持部先端部から前記植毛台の中心位置までの長さが、９０ｍｍ以上の長さとなっている請求項１〜６のいずれか１項記載の歯ブラシ。
【請求項８】
前記把持部に、２次樹脂が埋め込まれており、該２次樹脂は、前記把持部の少なくとも表側表面に表出している請求項１〜７のいずれか１項記載の歯ブラシ。
【請求項９】
前記把持部に埋め込まれた２次樹脂は、透明又は半透明の樹脂である請求項８記載の歯ブラシ。
【請求項１０】
前記把持部の少なくとも表側表面が、前記歯ブラシ本体とは異なる色に着色されている請求項１〜９のいずれか１項記載の歯ブラシ。
【発明の詳細な説明】
【技術分野】
【０００１】
本発明は、歯ブラシに関し、特に、植毛台と、把持部と、これらを連結するネック部とを含む歯ブラシ本体を備える歯ブラシに関する。
【背景技術】
【０００２】
歯ブラシを用いた口腔内のブラッシングは、図８に示すように、パームグリップと呼ばれる、歯ブラシの柄部の中間部分を親指と人差し指との間に挟み込むと共に、植毛台とは反対側の部分を中指や薬指や小指や掌で包み込んで把持する方法によって、歯ブラシを手に持った状態で行なわれることが多い。パームグリップにより歯ブラシの柄部を把持した状態では、歯ブラシの柄部の最も後端側を包み込んだ小指の部分を支点とし、中間部分を挟み込んだ親指や人差し指の部分を力点として、作用点である毛束が植毛された植毛台に、梃の原理によってブラッシング圧ＦBを負荷しながら、歯面や歯茎をブラッシングするようになっている。なお、図８において、力点にかかる力をＦA及び作用点にかかる力（ブラッシング圧）ＦBは、便宜上、斜め方向の矢印で説明されているが、力点にかかる力ＦA及び作用点にかかる力（ブラッシング圧）ＦBは、図８が描かれた紙面の裏側から表側に向けた方向に負荷される力となっている。
【０００３】
また、歯ブラシを用いた口腔内のブラッシングの場合、作用点にかかる力をＦB、力点にかかる力をＦA、支点から作用点までの距離をＬB、支点から力点までの距離をＬAとした場合に、これらの間には、ＦB＝（ＬA／ＬB）×ＦAの関係式が成り立つ。よって、同じパームグリップでも、力点の位置が植毛台寄りになるほどＬAの値が大きくなり、その結果作用点にかかる力（ブラッシング圧）ＦBが過度になり易い。ＦBが過度のまま口腔内のブラッシングを行なうと、歯肉が下がって歯根面が露出し易くなり、冷たいものがしみる「知覚過敏」や、歯根面が削れる「皿状欠損」や、歯根面が虫歯になる「根面う蝕」を引き起こす危険性が高まる。
【０００４】
このようなことから、歯ブラシを用いて口腔内をブラッシングする際には、作用点にかかる力ＦBによる過度のブラッシング圧となるのを回避して、適切なブラッシング圧で行われるようにすることが好ましく、過度のブラッシング圧を無意識のうちに低減できるようにした歯ブラシも開発されている（例えば、特許文献１参照）。特許文献１の歯ブラシでは、歯ブラシの柄部の重心バランスを調整することで、歯ブラシを把持する位置を、歯ブラシの柄部の後方側に移動させ易くすることによって、過度のブラッシング圧とならないようにブラッシング圧を低減できるようになっている。
【先行技術文献】
【特許文献】
【０００５】
【特許文献１】特開２０１５−２３１５００号公報
【発明の概要】
【発明が解決しようとする課題】
【０００６】
特許文献１の歯ブラシでは、柄部の重心バランスの調整によって、ブラッシング圧を低減することを可能にするものであるが、柄部の重心バランスの調整は、例えばステンレス製等の金属製の球体を柄部の端部に取り付けることによりなされているため、歯ブラシ全体の重さが増すと共に、製造コストが増大する。このようなことから、金属製等の球体を用いた重心バランスの調整を要することなく、簡易且つ安価な構成により過度のブラッシング圧となるのを回避して、適切なブラッシング圧で歯面や歯茎をブラッシングすることを可能にする歯ブラシの開発が望まれている。
【０００７】
本発明は、重心バランスの調整を要することなく、簡易且つ安価な構成により過度のブラッシング圧となるのを回避して、適切なブラッシング圧で歯面や歯茎をブラッシングすることのできる歯ブラシに関する。
【課題を解決するための手段】
【０００８】
本発明者らは、パームグリップによって、柄部の中間部分を親指と人差し指との間に挟み込むと共に、植毛台とは反対側の部分を中指や薬指や小指や掌で包み込んで、歯ブラシの柄部を把持した際に、これらの指の位置が、植毛台から離れていればいる程、支点となる小指の部分と、力点となる親指や人差し指の部分との間の距離が、支点となる小指の部分と、作用点となる植毛台との間の距離に比べて、小さくなることから、梃の原理によって、同じ力を力点に加えても、モーメントの釣り合いにより、毛束が植設された作用点となる植毛台に負荷されるブラッシング圧が、小さくなることに着目し、柄部を把持するこれらの指の位置が、植毛台から所定の距離以上に離れるように誘導することによって、植毛台に負荷されるブラッシング圧を低減することで、適切なブラッシング圧に調整できることを見出し、本発明を完成するに至った。また特に、柄部を把持するこれらの指の位置が、小指によってでは柄部を包み込むことができなくなる位置まで、植毛台から離れるように誘導すること、言い換えれば親指、人差し指、中指および薬指を用いて柄部が把持されるように誘導することで、植毛台に負荷されるブラッシング圧をさらに容易且つ確実に低減できることを見出して、本発明を完成するに至った。
【０００９】
即ち、本発明は、複数の毛束が植設される複数の植毛孔が形成されている植毛台と、把持部と、該把持部と前記植毛台とを連結するネック部とを含む、全長が１５０ｍｍ以上の長さの歯ブラシ本体を備える歯ブラシであって、前記把持部は、断面積が５０ｍｍ2となっている位置を把持部先端部として、該把持部先端部の後方領域に、断面積が５０ｍｍ2以上となっている部分を有しており、前記ネック部は、全長に亘って断面積が５０ｍｍ2に満たない部分となっており、且つ前記歯ブラシ本体の後端から前記把持部先端部までの長さが、前記歯ブラシ本体の後端から前記植毛台の中心位置までの長さの、２０％以上５０％以下の長さとなっている歯ブラシを提供することにより、上記目的を達成したものである。
【００１０】
また、本発明の歯ブラシは、前記歯ブラシ本体の後端から前記把持部先端部までの把持部の長さが、８０ｍｍ以下の長さとなっていることが好ましい。
【発明の効果】
【００１１】
本発明の歯ブラシによれば、重心バランスの調整を要することなく、簡易且つ安価な構成により過度のブラッシング圧となるのを回避して、適切なブラッシング圧で歯面や歯茎をブラッシングすることができる。
【図面の簡単な説明】
【００１２】
【図１】本発明の好ましい一実施形態に係る歯ブラシを例示する略示斜視図である。
【図２】図１の歯ブラシを上方から視た略示平面図である。
【図３】図１の歯ブラシを側方から視た略示側面図である。
【図４】図２のＡ−Ａに沿った断面図である。
【図５】（ａ）は図１のＢ−Ｂに沿った断面図、（ｂ）は図１のＣ−Ｃに沿った断面図である。
【図６】パームグリップにより歯ブラシの柄部を把持した際の、支点と力点と作用点の関係の説明図である。
【図７】本発明の好ましい一実施形態に係る歯ブラシの柄部をパームグリップにより把持した状態の説明図である。
【図８】従来の歯ブラシの柄部をパームグリップにより把持した状態の説明図である。
【発明を実施するための形態】
【００１３】
図１〜図４に示す本発明の好ましい一実施形態に係る歯ブラシ１０は、把持部１１とネック部１２とを含む柄部１３と、植毛台１４とを備える歯ブラシ本体１５の、植毛台１４に形成された複数の植毛孔１６に、複数本のブリッスル１７を束ねてなる毛束（タフト）１８を各々植設（植毛）することによって構成される。本実施形態の歯ブラシ１０は、図７に示すようなパームグリップによる把持方法によって、使用者が歯ブラシ１０の柄部１３を把持する際に、植毛台１４からできるだけ離れた部分を把持するように誘導できるようになっている。これによって、力点となる親指や人差し指の部分に、大きな力ＦAが加えられた場合でも、梃の原理によって、作用点である、毛束１８が植設された植毛台１４に、力が低減された状態で伝わるので、過度のブラッシング圧となるのを回避し、適切なブラッシング圧ＦBで、植毛台１４に植設された毛束１８によって、歯面や歯茎をブラッシングできるようになっている。
【００１４】
すなわち、本実施形態の歯ブラシ１０は、柄部１３の中間部分を親指と人差し指との間に挟み込むと共に、植毛台１４とは反対側の部分を中指や薬指や小指や掌で包み込んで、パームグリップにより歯ブラシ１０の柄部１３を把持した際に（図７参照）、これらの指の位置が、植毛台１４から離れていればいる程、図６に示すように、例えば支点となる柄部１３の後端部と、力点となる、親指と人差し指によって挟み込まれる部分との間の距離ＬAが、支点となる柄部１３の後端部と、作用点となる植毛台１４の中心部との間の距離ＬBに比べて、小さくなることから、梃の原理によって、親指や人差し指で力点に同じ力ＦAを加えても、図６の式（１）に示すモーメントの釣り合いにより、作用点となる、毛束１８が植設された植毛台１４に負荷されるブラッシング圧ＦBは、小さくなることに着目してなされたものである。このようなことから、本実施形態の歯ブラシ１０は、植毛台１４に近い部分の柄部１３を把持し難い形状にすると共に、植毛台１４から離れた部分の柄部１３を把持し易い形状にすることによって、使用者が、歯ブラシ１０の柄部１３を把持する際に、植毛台１４からできるだけ離れた部分を把持するように誘導できるようになっている。
【００１５】
また、本実施形態では、パームグリップにより歯ブラシ１０の柄部１３を把持して、図７に示すように、力点となる柄部１３の中間部分を親指と人差し指との間に挟み込んだ際に、挟み込んだ部分の柄部１３の断面形状が、φ８ｍｍ以上の円形となっていると、安定した状態でしっかりと挟み込めるようになることを見出し、φ８ｍｍの円形の断面積に相当する、断面積が５０ｍｍ2の部分を基準として、柄部１３において把持し易い部分となる把持部１１と、柄部１３において把持部１１と植毛台１４とを連結する部分となるネック部１２とが、後述する所定の形状となるように形成されるようになっている。なお、図７において、力点にかかる力をＦA及び作用点にかかる力（ブラッシング圧）ＦBは、便宜上、斜め方向の矢印で説明されているが、力点にかかる力ＦA及び作用点にかかる力（ブラッシング圧）ＦBは、図７が描かれた紙面の裏側から表側に向けた方向に負荷される力となっている。
【００１６】
そして、本実施形態の歯ブラシ１０は、図１〜図４に示すように、複数の毛束１８が植設される複数の植毛孔１６が形成されている植毛台１４と、把持部１１と、把持部１１と植毛台１４とを連結するネック部１２とを含む、全長が１５０ｍｍ以上の長さの歯ブラシ本体１５を備える歯ブラシであって、把持部１１は、断面積が５０ｍｍ2となっている位置を把持部先端部１１ａとして、この把持部先端部１１ａの後方領域に、断面積が５０ｍｍ2以上となっている部分を有しており、ネック部１２は、全長に亘って断面積が５０ｍｍ2に満たない部分となっており、且つ歯ブラシ本体１５の後端から把持部先端部１１ａまでの長さＬ1が、歯ブラシ本体１５の後端から植毛台１４の中心位置までの長さＬ2の、２０％以上５０％以下の長さとなっている。
【００１７】
また、本実施形態では、好ましくは、ネック部１２は、把持部先端部１１ａから、植毛台１４との接続部分１２ａに向けて、断面積が連続して減少する形状を備えている。ネック部１２は、使用者が所定の位置を把持するように誘導させやすくする観点、および審美性の観点から、断面積が滑らかに連続して減少する形状を備えていることがより好ましい。
【００１８】
さらに、本実施形態では、好ましくは、把持部１１における把持部先端部１１ａ側の部分の表側表面に、親指の指腹部が押し当てられるように誘導する、指当てマーキング部１９が設けられており、把持部１１に、２次樹脂２０が埋め込まれている。２次樹脂２０は、把持部１１の少なくとも表側表面に表出している。
【００１９】
さらにまた、本実施形態では、好ましくは、歯ブラシ本体１５の後端から把持部先端部１１ａまでの把持部１１の長さＬ1が、８０ｍｍ以下の長さとなっている。
【００２０】
本実施形態では、歯ブラシ１０を構成する歯ブラシ本体１５を形成するための１次樹脂は、歯ブラシ本体の樹脂として一般的に使用されている合成樹脂を、特に制限無く用いる事ができる。例えば、ポリアセタール樹脂、ポリスチレン樹脂、ポリエチレンテレフタレート樹脂、アクリロニトリルブタジエンスチレン樹脂、セルロースプロピオネート樹脂、ポリアリレート樹脂、ポリカーボネート樹脂、アクリロニトリルスチレン樹脂、ポリエステル、ポリトリメチレンテレフタレート、ポリブチレンテレフタレート、ポリアミド樹脂、ポリシクロヘキサンジメチレンテレフタレートから選ばれる一種又は二種以上の樹脂を用いることが好ましい。本実施形態では、後述するように、把持部１１と植毛台１４とを連結するネック部１２は、細く、長く形成されることから、機械的強度に優れた、ポリアセタール樹脂を１次樹脂として用いて、歯ブラシ本体１５を形成することが特に好ましい。
【００２１】
歯ブラシ本体１５の植毛台１４は、本実施形態では、例えば短軸が１０〜１８ｍｍ程度、長軸が１５〜３０ｍｍ程度の大きさの、楕円形状の平面形状を備えるように形成されている（図２参照）。植毛台１４の表側の平坦な植毛面１４ａには、例えばφ１．４ｍｍ程度の大きさの複数の円形の植毛孔１６が、分散配置されて開口形成されている。各々の植毛孔１６には、複数本のブリッスル１７を束ねてなる毛束１８が植設されている。
【００２２】
毛束１８を構成するブリッスル１７は、好ましくはナイロン、ポリエステル、ポリオレフィン等の、ブリッスルに用いられている周知の合成樹脂を、特に制限なく用いることができる。また、ブリッスル１７は、例えば０．１０〜０．２５ｍｍ（４〜１０ｍｉｌ）程度の太さを有するフィラメント材であって、これを例えば十数本〜数十本束ねることによって、毛束１８が構成される。ブリッスル１７は、例えば１５〜３５ｍｍの長さを有しており、毛束１８を二つ折りにして平線を打ち込む平線植毛や、片端部に溶融塊を形成して熱融着する融着植毛等、公知の各種の植毛方法を用いて、植毛台１４の植毛面１４ａに植設することが可能である。ブリッスル１７は、植毛台１４の表面１４ａからの高さ（毛丈）が、例えば８〜１３ｍｍとなるように植毛されている。
【００２３】
歯ブラシ本体１５の把持部１１は、歯ブラシ１０の柄部１３における植毛台１４とは反対側の後端部分を形成するもので、本実施形態では、図５（ａ）に示すように、後述する二次樹脂２０が埋め込まれた状態で、短軸が９〜１５ｍｍ程度、長軸が１０〜１８ｍｍ程度の大きさの、楕円形状の断面形状を備えている。把持部１１は、好ましくは、植毛台１４側の端部である、断面積が５０ｍｍ2となっている把持部先端部１１ａから、後方の当該把持部１１の中央部分に向けて、滑らかに連続させて断面積を僅かに拡大させる共に、中央部分から後端部に向けて、滑らかに連続させて断面積を僅かに縮小させた状態で設けられている。これによって把持部１１は、把持部先端部１１ａの後方領域に、断面積が５０ｍｍ2以上となっている部分を有している。把持部１１の断面積が５０ｍｍ2以上となっている部分は、断面積が５０〜２００ｍｍ2となっていることが好ましく、５０〜１５０ｍｍ2となっていることがさらに好ましい。柄部１３の後端部でもある把持部１１の後端部は、角部が湾曲形状に面取りされた形状を備えている。
【００２４】
また、本実施形態では、把持部１１には、植毛台１４の植毛面１４ａ側を表側の面とし、植毛面１４ａとは反対側を裏側の面として、これらの表裏の面の間を貫通する貫通開口１１ｂが、開口形成されている。貫通開口１１ｂは、把持部１１の横長の平面形状に沿った、横長の略トラック円形状又は横長の略楕円形状の平面形状を備えるように形成されている。この貫通開口１１ｂを充填して、２次樹脂２０が、例えばインサート成形や二色成形により把持部１１に埋め込まれている。これによって、２次樹脂２０は、把持部１１の少なくとも表側表面として、好ましくは表側表面及び裏側表面の双方に表出している。２次樹脂２０が、把持部１１の少なくとも表側表面に表出していることにより、植毛台１４から離れた把持部１１を把持するように、使用者を誘導し易くなる。
【００２５】
ここで、歯ブラシ本体１５が、上述の１次樹脂を用いて、白色等の不透明な状態で形成されている場合には、把持部１１に埋め込まれた２次樹脂２０は、歯ブラシ本体１５とは異なる材質の透明又は半透明の樹脂であることが好ましい。把持部１１に埋め込まれた２次樹脂２０が、透明又は半透明の樹脂となっていることにより、歯ブラシ１０の意匠性や美観を効果的に向上させることが可能になる。２次樹脂２０としては、ポリエチレンテレフタレート、ポリブチレンテレフタレート等の飽和ポリエステル系の樹脂や、スチレン−ブタジエン共重合体ゴム、プロピレンゴム等のポリスチレン系又はポリオレフィン系のエラストマーを用いることが好ましい。より好ましくは、アクリロニトリルスチレン樹脂、セルロースアセテート、メタクリル樹脂等を用いることもできる。
【００２６】
また、歯ブラシ本体１５を形成する１次樹脂と、把持部１１に埋め込まれた２次樹脂２０とが、同じ材質の樹脂である場合には、把持部１１に埋め込まれた２次樹脂２０は、歯ブラシ本体１５を形成する１次樹脂とは異なる色に着色されていることが好ましい。
【００２７】
貫通開口１１ｂを設けずに、単一の材質の樹脂を用いて歯ブラシ本体１５を成形する場合には、染料等によって、把持部１１が歯ブラシ本体１５とは異なる色に着色されていることが好ましい。
【００２８】
把持部１１を着色する染料は、プラスチック系染料として一般的に用いられている染料を、特に制限なく用いることができる。例えば、アゾ、アントラキノン、キノフタロン、スチリル、ジーまたはトリフェニルメタン、オキサジン、トリアジン、キサンテン、メチン、アゾメチン、チクリジン、ジアジンなどの染料を用いることができる。
【００２９】
把持部１１は、少なくとも表側表面が、歯ブラシ本体１５とは異なる色に着色されていることが好ましい。
【００３０】
さらに、本実施形態では、上述のように、把持部１１における把持部先端部１１ａ側の部分の表側表面に、親指の指腹部が押し当てられるように誘導する指当てマーキング部１９が、好ましくは埋め込まれた２次樹脂２０の部分に配置されて設けられている。指当てマーキング部１９は、好ましくは直径が６〜１５ｍｍ程度の大きさの略円形または略楕円形の平面形状を備えており、親指の指腹部に沿った表面形状となるように、浅い凹状に湾曲した湾曲凹部となっている。指当てマーキング部１９が設けられていることにより、使用者が、植毛台１４から離れた把持部１１を把持するように、さらに効果的に誘導することが可能になる。親指の指腹部が押し当てられるように誘導する指当てマーキング部１９は、把持部１１における、把持部先端部１１ａ側の部分の裏側表面に設けることもできる。
【００３１】
また、本実施形態では、上述のように、歯ブラシ本体１５の後端から把持部先端部１１ａまでの把持部１１の長さＬ1が、８０ｍｍ以下の長さとなっている。把持部１１の長さＬ1が、８０ｍｍ以下の長さとなっていることにより、好ましくは親指の指腹部を指当てマーキング部１９に押し当てた状態で、柄部１３の把持部１１を把持した際に、小指の指腹部が、把持部１１に掛からなくなることで、小指の指腹部の部分を支点とすることができなくなる（図７参照）。このため、小指以外の薬指や中指の指腹部が押し当てられた、把持部１１の後端部を支点とすることになって、支点から、親指と人差し指で挟み込まれた部分の力点との間の距離は、小指の部分を支点とすることができなくなった分、さらに小さくなる。これによって、力点となる親指や人差し指の部分に、大きな力が加えられた場合でも、作用点である毛束１８が植設された植毛台１４に、より確実に且つ効果的に、力が低減された状態で伝わるようにすることが可能になる。
【００３２】
このような観点から、歯ブラシ本体１５の後端から把持部先端部１１ａまでの把持部１１の長さＬ1は、７５ｍｍ以下とすることがより好ましく、７０ｍｍ以下とすることがさらに好ましい。
【００３３】
歯ブラシ本体１５のネック部１２は、歯ブラシ１０の柄部１３の把持部１１と植毛台１４とを連結する部分を形成するもので、本実施形態では、上述のように、好ましくは把持部先端部１１ａから、植毛台１４との接続部分１２ａに向けて、断面積が連続して減少する形状を備えている。すなわち、ネック部１２は、断面積が５０ｍｍ2となっている楕円形状の断面形状を備える把持部先端部１１ａから、植毛台１４との接続部分１２ａに向けて、図５（ｂ）に示すように、楕円形状の断面形状を保持したまま、短軸と長軸の長さを徐々に減少させた形状を備えている。またこれによって、ネック部１２は、好ましくは６０〜１２０ｍｍ程度の長さの全長に亘って、断面積が５０ｍｍ2に満たない部分となっている。
【００３４】
ネック部１２は、平面視して柄部１３の軸方向と垂直な方向の幅が最も小さい、３〜５ｍｍ程度の幅となった先端部から、柄部１３の軸方向と垂直な方向の幅が植毛台１４に向けて徐々に広がっている接続部分１２ａを介在させて、植毛台１４と接続している。
【００３５】
また、本実施形態では、歯ブラシ本体１５の後端から把持部先端部１１ａまでの長さＬ1が、歯ブラシ本体１５の後端から植毛台１４の中心位置までの長さＬ2の、５０％以下の長さとなっている。より具体的には、本実施形態では、歯ブラシ本体１５は、１５０ｍｍ以上の全長として、例えば全長が１８５ｍｍの長さを有しており、植毛台１４の長軸の長さが、例えば２０ｍｍとなっていることから、歯ブラシ本体１５の後端から植毛台１４の中心位置までの長さＬ2は、１７５ｍｍとなっている。また、歯ブラシ本体１５の後端から把持部先端部１１ａまでの把持部１１の長さＬ1は、例えば７０ｍｍであることから、歯ブラシ本体１５の後端から把持部先端部１１ａまでの長さＬ1は、歯ブラシ本体１５の後端から植毛台１４の中心位置までの長さＬ2の２０％以上５０％以下の長さとして、例えば４０％の長さとなっている。
【００３６】
歯ブラシ本体１５の後端から把持部先端部１１ａまでの長さＬ1が、歯ブラシ本体１５の後端から植毛台１４の中心位置までの長さＬ2の２０％以上５０％以下の長さとなっていることにより、好ましくは親指の指腹部を指当てマーキング部１９に押し当てた状態で、使用者が、パームグリップにより歯ブラシ１０の柄部１３の把持部１１を把持した際に、植毛台１４から相当程度遠く離れた部分を把持することになる。これによって、力点となる親指や人差し指の部分に、大きな力ＦAが加えられた場合でも、梃の原理によって、作用点である、毛束１８が植設された植毛台１４に、力が低減された状態で伝わるようになるので、過度のブラッシング圧となるのを回避することが可能になると共に、適切なブラッシング圧ＦBで、植毛台１４に植設された毛束１８によって、歯面や歯茎を容易にブラッシングすることが可能になる。
【００３７】
このような観点から、歯ブラシ本体１５の後端から把持部先端部１１ａまでの長さＬ1は、歯ブラシ本体１５の後端から植毛台１４の中心位置までの長さＬ2の、５０％以下の長さとなっていることがより好ましく、４５％以下の長さとなっていることがさらに好ましい。また、パームグリップにより歯ブラシ１０の柄部１３を安定した状態でしっかりと握るには、親指や人差し指で挟み込んだ力点以外に、最低限、中指で支点を確保する必要があるという観点から、歯ブラシ本体１５の後端から把持部先端部１１ａまでの長さＬ1は、歯ブラシ本体１５の後端から植毛台１４の中心位置までの長さＬ2の、２０％以上の長さとなっていることがより好ましく、３０％以上の長さとなっていることがさらに好ましい。さらに、これらの観点から、歯ブラシ本体１５の後端から把持部先端部１１ａまでの長さＬ1は、歯ブラシ本体１５の後端から植毛台１４の中心位置までの長さＬ2の、２０〜５０％の長さとなっていることがより好ましく、３０〜４５％の長さとなっていることがさらに好ましい。
【００３８】
また、同様の観点から、把持部先端部１１ａから植毛台１４の中心位置までの長さＬ3は、９０ｍｍ以上の長さとなっていることが好ましく、９０〜１３０ｍｍの長さとなっていることがより好ましく、９５〜１２５ｍｍの長さとなっていることがさらに好ましい。
【００３９】
そして、上述の構成を備える本実施形態の歯ブラシ１０によれば、重心バランスの調整を要することなく、歯ブラシ本体１５の柄部１３の形状を工夫した簡易且つ安価な構成によって、過度のブラッシング圧となるのを回避して、適切なブラッシング圧で歯面や歯茎をブラッシングすることが可能になる。
【００４０】
すなわち、本実施形態の歯ブラシ１０によれば、把持部１１は、断面積が５０ｍｍ2となっている位置を把持部先端部１１ａとして、この把持部先端部１１ａの後方領域に、断面積が５０ｍｍ2以上となっていて、把持し易い部分である把持部１１を有しており、ネック部１２は、全長に亘って断面積が５０ｍｍ2に満たない、把持し難い部分となっているので、歯ブラシ１０の使用者は、把持し難いネック部１２を避けて、把持し易い把持部１１を把持するように誘導され易くなる。また使用者が把持するように誘導された、把持し易い部分である把持部１１の長さＬ1は、歯ブラシ本体１５の後端から植毛台１４の中心位置までの長さＬ2の５０％以下の長さとなっており、これによって使用者は、植毛台１４から相当程度遠く離れた部分を把持することになるので、上述のように、力点となる親指や人差し指の部分に、大きな力ＦAが加えられた場合でも、毛束１８が植設された植毛台１４に、力が低減された状態で伝わるようになって、過度のブラッシング圧となるのを回避することが可能になると共に、適切なブラッシング圧ＦBで歯面や歯茎を容易にブラッシングすることが可能になる。
【００４１】
したがって、本実施形態の歯ブラシ１０によれば、例えば金属製の球体等を柄部の端部に取り付けて柄部の重心バランスを調整することで歯ブラシ全体の重さや製造コストを増大させることなく、歯ブラシ本体１５の柄部１３の形状を工夫することのみによる、簡易且つ安価な構成によって、過度のブラッシング圧となるのを回避して、適切なブラッシング圧で歯面や歯茎をブラッシングすることが可能になる。
【００４２】
なお、本発明は上記実施形態に限定されることなく種々の変更が可能である。例えば、ネック部は、把持部先端部から植毛台との接続部分に向けて、断面積が連続して減少する形状を備えている必要は必ずしも無く、断面積が５０ｍｍ2以上とならない範囲で、植毛台との接続部分に向けて、断面積を拡大させる部分や、同じ断面積となっている部分を含んでいても良い。また、把持部に２次樹脂が埋め込まれている必要は必ずしも無く、歯ブラシ本体の全体を、１次樹脂によって形成しても良い。さらに、把持部における把持部先端部側の部分の表側表面や裏側表面に、指当てマーキング部が設けられている必要は必ずしもなく、指当てマーキング部は、湾曲凹部以外の、例えば凸凹形状や、把持部における表側表面や裏側表面に印刷等によって描かれたものであっても良い。把持部は、その全体が断面積が５０ｍｍ2以上の部分となっている必要は必ずしもなく、その一部に、断面積が５０ｍｍ2以下となっている部分を含んでいても良い。
【符号の説明】
【００４３】
１０  歯ブラシ
１１  把持部
１１ａ  把持部先端部
１１ｂ  貫通開口
１２  ネック部
１２ａ  植毛台との接続部分
１３  柄部
１４  植毛台
１４ａ  植毛面
１５  歯ブラシ本体
１６  植毛孔
１７  ブリッスル
１８  毛束
１９  指当てマーキング部
２０  ２次樹脂
【図１】
2018198795.tif 000003
【図２】
2018198795.tif 000004
【図３】
2018198795.tif 000005
【図４】
2018198795.tif 000006
【図５】
2018198795.tif 000007
【図６】
2018198795.tif 000008
【図７】
2018198795.tif 000009
【図８】
2018198795.tif 000010